(57)【要約】      （修正有）【課題】Ｃ字リング体が適切でない箇所に配置されることを防止し、誤って配置されることによって発生する漏水を防ぐ排水管の接続構造を提供する。【解決手段】外周に外側方向に飛び出して構成されるフランジ部１２を備える挿入管１と、端部に切り溝部２１を構成し、内部に挿入管１が挿入される受口管２と、上面視Ｃ字状に構成され、受口管２に挿入管１が挿入配置された時に自身の弾性により変形してフランジ部１２に係合する爪部を構成して、挿入管１と受口管２を接続するＣ字リング体３と、から構成した排水管の接続構造において、挿入管１又は受口管２のいずれか一方又は両方に、Ｃ字リング体３が適切でない位置に配置されることを防止する誤挿入防止機構を受口管２に構成した。【選択図】図２
2015175129.tif 000002
【特許請求の範囲】
【請求項１】
外周に外側方向に飛び出して構成されるフランジ部１２を備える挿入管１と、
端部に切り溝部２１を構成し、内部に挿入管１が挿入される受口管２と、
上面視Ｃ字状に構成され、
受口管２に挿入管１が挿入配置された時に自身の弾性により変形してフランジ部１２に係合する爪部３１を構成して、挿入管１と受口管２を接続するＣ字リング体３と、
から構成した排水管の接続構造において、
挿入管１又は受口管２のいずれか一方又は両方に、Ｃ字リング体３が適切でない位置に配置されることを防止する誤挿入防止機構４を受口管２に構成したことを防止する排水管の接続構造。
【請求項２】
前記Ｃ字リング体３を、側面方向から中心軸に向かって挿入管１又は受口管２に挿入配置すると共に、前記誤挿入防止機構４を、前記挿入管１又は受口管２のいずれか一方又は両方の外周に凹溝形状に構成したことを特徴とする前記請求項１に記載の排水管の接続構造。
【請求項３】
前記Ｃ字リング体３を、側面方向から中心軸に向かって挿入管１又は受口管２に挿入配置すると共に、前記誤挿入防止機構４を、前記挿入管１又は受口管２のいずれか一方又は両方の外周に凸リブ形状に構成したことを特徴とする前記請求項１に記載の排水管の接続構造。
【請求項４】
前記Ｃ字リング体３を、側面方向から中心軸に向かって挿入管１又は受口管２に挿入配置すると共に、前記誤挿入防止機構４を、前記挿入管１又は受口管２のいずれか一方又は両方の外周に円周方向に沿って少なくとも一部が外周方向に向かって飛び出して構成したことを特徴とする前記請求項１に記載の排水管の接続構造。
【請求項５】
前記切り溝部２１又はフランジ部１２のどちらか一方に側面方向からＣ字リング体３が挿入されることをガイドするガイド部３３を、前記Ｃ字リング体３の開放端に構成したことを特徴とする前記請求項１乃至請求項４のいずれか一つに記載の排水管の接続構造。
【請求項６】
前記Ｃ字リング体３の爪部３１を、
断面視一端から内周方向に向かって突出して構成される前記挿入管１のフランジ部１２に係合する第１爪部３１１、
断面視他端から内周方向に向かって突出して構成される受口管２の切り溝部２１に係合する第２爪部３１２、
から構成したことを特徴とする前記請求項１乃至請求項５のいずれか一つに記載の排水管の接続構造。
【請求項７】
前記Ｃ字リング体３の開放端にガイド部３３を側面視上端と下端にそれぞれ構成すると共に、ガイド部３３同士の間にガイド部３３の案内を規制する規制部３４を構成したことを特徴とする前記請求項６に記載の排水管の接続構造。
【請求項８】
前記Ｃ字リング体３を、上下対称形状としたことを特徴とする前記請求項１乃至請求項７のいずれか一つに記載の排水管の接続構造。
【請求項９】
前記切り溝部２１をスリット状に構成したことを特徴とする前記請求項１乃至請求項８のいずれか一つに記載の排水管の接続構造。
【発明の詳細な説明】
【技術分野】
【０００１】
本発明は、排水管の管体同士の接続や、浴槽や流し台、洗面台や各種槽体の排水口に取り付ける排水器において槽体と排水器を取り付ける構造等、排水管の接続構造に関するものである。
【背景技術】
【０００２】
従来よく知られた排水管の接続構造は、浴槽の排水口に配置する弁体を遠隔的に開閉操作する為の遠隔操作式排水栓装置のホースと操作部の接続に用いられる。
本従来例の排水管の接続構造は、遠隔操作式排水栓装置の操作部であるスイッチ上部と、操作部であるスイッチ下部と、Ｃ字リング体と、ホース体と、レリースワイヤと、機構部と、から構成される。
挿入管としてのスイッチ上部は、操作部であって、浴槽の上縁部に取り付けられる円筒状の部材である。スイッチ上部の下端には、外側方向に向かって飛び出すフランジ部が構成されている。
受口管としてのスイッチ下部は、操作部であって、内部に挿入管を配置し、外周に切り溝部を構成している。尚、当該従来例の切り溝部は、スイッチ下部の外周に溝状で壁面を貫通せず構成されている。
Ｃ字リング体は、弾性を備え、軸方向上面視Ｃ字状であって、軸方向上端に、前記スイッチ上部のフランジ部と係合する第１爪部を内周面から中心軸方向に向かって延出するように構成する。また、軸方向下端には、前記スイッチ下部の切り溝部と係合する第２爪部を内周面から中心軸方向に向かって延出して構成する。当該Ｃ字リング体は、その開放端を介し、スイッチ下部の側面方向から切り溝部に挿入される。この切り溝部には、Ｃ字リング体の第２爪部が側面からスライドして挿入されて係合する。また、スイッチ上部がスイッチ下部に対して軸方向に挿入された際には、Ｃ字リング体の第１爪部がスイッチ上部のフランジ部に当接し、自身の弾性により変形することにより側面方向に拡径する。そのままスイッチ上部を挿入していくと拡径したＣ字リング体の第１爪部はスイッチ上部のフランジ部を乗り越え、フランジ部を通過した際に、自身の弾性の変形によって縮径する。そうするとＣ字リング体の第１爪部はフランジ部に係合する。
ホース体は、スイッチ下部に接続される管体であって、内部に後述するレリースワイヤが挿通配置される。
レリースワイヤは、筒体のアウターチューブと、アウターチューブ内を進退自在に進行する金属線から成るインナーワイヤから構成される。レリースワイヤは、一端を操作部の機構部に接続され、他端は排水栓の弁体に接続される。よって、操作部の操作により、インナーワイヤが前進／後退することによって、排水栓内の弁体を遠隔的に開口／閉口することができる。
機構部は、スイッチ上部とスイッチ下部内に配置され、一端がレリースワイヤに接続され、他端に操作ボタンが接続されている。また、機構部はレリースワイヤのインナーワイヤの進退位置を保持／解除する為の機構であって、本従来例ではボールペンの芯の進退を保持する為に用いられるスラストロック機構が採用されている。（特許文献１）
【０００３】
上記の従来例である排水管の接続構造は以下のように施工される。
浴槽上縁部の開口にスイッチ上部を挿入固定し取付け、予め、スイッチ下部にＣ字リング体を取り付けておく。この時、スイッチ下部の側面方向から中心軸に向かって、Ｃ字リング体の開放端から第２爪部をスイッチ下部の切り溝部に挿入し、側面方向にスライドさせて係合させる。こうして、スイッチ下部にＣ字リング体を予め取り付けることができる。
また、スイッチ下部の下端にはホース体を予め接続しておき、ホース体は排水栓に予め接続しておく。
そして、浴槽の裏面から、Ｃ字リング体を取り付けたスイッチ下部をスイッチ上部に差し込む。するとスイッチ上部がスイッチ下部内に挿入され、スイッチ上部のフランジ部がＣ字リング体の第１爪部に当接し、Ｃ字リング体が自身の弾性により変形して側面方向に拡径する。そのままスイッチ下部をスイッチ上部側へ進めていくと、第１爪部がフランジ部を乗り越え、自身の弾性により変形して拡径していた分縮径する。そうすると、第１爪部がフランジ部に係合するため、スイッチ上部とスイッチ下部はＣ字リング体によって強固に接続することができる。
こうして、スイッチ上部とスイッチ下部の接続は完了する。
その後、浴槽の上部から機構部が接続されたレリースワイヤをスイッチ上部内へ挿入し。スイッチ下部、ホース体を通過してレリースワイヤの弁側端部を排水栓側まで挿通させる。そして、機構部をスイッチ下部に取付け、操作ボタンを取付る。また、排水栓側のレリースワイヤの端部には弁体を取付け、この従来例の施工は完了する。
【先行技術文献】
【特許文献】
【０００４】
【特許文献１】特開２０１０−９５９２５号
【発明の概要】
【発明が解決しようとする課題】
【０００５】
従来例での排水管の接続構造では以下の問題があった。
Ｃ字リング体の爪部は本来であれば受口管の切り溝部又は挿入管のフランジ部のいずれかに挿入されて予めスライド係合させておく必要があるが、Ｃ字リング体は自身に弾性を備えて変形可能に構成されている為、フランジ部や切り溝部の下方や上方にもスライド係合される可能性があり、仮に、間違ってＣ字リング体が係合されてしまうと、挿入管と受口管の接続ができなくなり、漏水の危険性が増す。また、当該挿入管と受口管は、内部に排水が通水する為、漏水が発生すると非常に問題がある。また、Ｃ字リング体が適切に挿入配置されていなくても、Ｃ字リング体自体が弾性変形してしまう為、誤って挿入配置されていることが施工者や使用者が目視確認で確認できない。よって、誤って適切でない箇所にＣ字リング体が挿入配置されていても施工者が気づかず施工されてしまうことが多発していた。
【０００６】
以上のことから、本願発明はＣ字リング体が適切でない箇所に配置されることを防止し、誤って配置されることによって発生する漏水を防止することを目的とする。
【課題を解決するための手段】
【０００７】
請求項１に記載の排水管の接続構造は、外周に外側方向に飛び出して構成されるフランジ部１２を備える挿入管１と、端部に切り溝部２１を構成し、内部に挿入管１が挿入される受口管２と、上面視Ｃ字状に構成され、受口管２に挿入管１が挿入配置された時に自身の弾性により変形してフランジ部１２に係合する爪部３１を構成して、挿入管１と受口管２を接続するＣ字リング体３と、から構成した排水管の接続構造において、挿入管１又は受口管２のいずれか一方又は両方に、Ｃ字リング体３が適切でない位置に配置されることを防止する誤挿入防止機構４を受口管２に構成したことを防止する排水管の接続構造である。
【０００８】
請求項２に記載の排水管の接続構造は、前記Ｃ字リング体３を、側面方向から中心軸に向かって挿入管１又は受口管２に挿入配置すると共に、前記誤挿入防止機構４を、前記挿入管１又は受口管２のいずれか一方又は両方の外周に凹溝形状に構成したことを特徴とする前記段落０００７に記載の排水管の接続構造である。
【０００９】
請求項３に記載の排水管の接続構造は、前記Ｃ字リング体３を、側面方向から中心軸に向かって挿入管１又は受口管２に挿入配置すると共に、前記誤挿入防止機構４を、前記挿入管１又は受口管２のいずれか一方又は両方の外周に凸リブ形状に構成したことを特徴とする前記段落０００７に記載の排水管の接続構造である。
【００１０】
請求項４に記載の排水管の接続構造は、前記Ｃ字リング体３を、側面方向から中心軸に向かって挿入管１又は受口管２に挿入配置すると共に、前記誤挿入防止機構４を、前記挿入管１又は受口管２のいずれか一方又は両方の外周に円周方向に沿って少なくとも一部が外周方向に向かって飛び出して構成したことを特徴とする前記段落０００７に記載の排水管の接続構造である。
【００１１】
請求項５に記載の排水管の接続構造は、前記切り溝部２１又はフランジ部１２のどちらか一方に側面方向からＣ字リング体３が挿入されることをガイドするガイド部３３を、前記Ｃ字リング体３の開放端に構成したことを特徴とする前記段落０００７乃至段落００１０のいずれか一つに記載の排水管の接続構造である。
【００１２】
請求項６に記載の排水管の接続構造は、前記Ｃ字リング体３の爪部３１を、断面視一端から内周方向に向かって突出して構成される前記挿入管１のフランジ部１２に係合する第１爪部３１１、断面視他端から内周方向に向かって突出して構成される受口管２の切り溝部２１に係合する第２爪部３１２、から構成したことを特徴とする前記段落０００７乃至段落００１１のいずれか一つに記載の排水管の接続構造である。
【００１３】
請求項７に記載の排水管の接続構造は、前記Ｃ字リング体３の開放端にガイド部３３を側面視上端と下端にそれぞれ構成すると共に、ガイド部３３同士の間にガイド部３３の案内を規制する規制部３４を構成したことを特徴とする前記段落００１２に記載の排水管の接続構造である。
【００１４】
請求項８に記載の排水管の接続構造は、前記Ｃ字リング体３を、上下対称形状としたことを特徴とする前記段落０００７乃至段落００１３のいずれか一つに記載の排水管の接続構造である。
【００１５】
請求項９に記載の排水管の接続構造は、前記切り溝部２１をスリット状に構成したことを特徴とする前記段落０００７乃至段落００１４のいずれか一つに記載の排水管の接続構造である。
【発明の効果】
【００１６】
請求項１に記載の本発明は、挿入管１又は受口管２のいずれか一方又は両方に、Ｃ字リング体３が適切でない位置に配置されることを防止する誤挿入防止機構４を受口管２に構成したことから、Ｃ字リング体３が適切でない箇所に挿入配置されることを防止することができ、更に誤挿入による漏水が発生しない。
請求項２乃至請求項４に記載の本発明は、多様な形態の誤挿入防止機構４を構成したことから、誤挿入防止機構４が多種多様な形態を採用することができる。
請求項５に記載の本発明は、切り溝部２１又はフランジ部１２のどちらか一方に側面方向からＣ字リング体３が挿入されることをガイドするガイド部３３を、前記Ｃ字リング体３の開放端に構成したことから、Ｃ字リング体３が切り溝部２１又はフランジ部１２に挿入しやすいよう適切に案内される為、スライド挿入が容易になった。よって施工性が向上した。
請求項６に記載の本発明は、Ｃ字リング体３の爪部３１を、断面視一端から内周方向に向かって突出して構成される前記挿入管１のフランジ部１２に係合する第１爪部３１１、断面視他端から内周方向に向かって突出して構成される受口管２の切り溝部２１に係合する第２爪部３１２、から構成したことから、Ｃ字リング体３の第１爪部３１１と第２爪部３１２の間にフランジ部１２と切り溝部２１上部を挟持できるので、挿入管１と受口管２を強固に接続することができる。
請求項７に記載の本発明は、Ｃ字リング体３の開放端にガイド部３３を側面視上端と下端にそれぞれ構成すると共に、ガイド部３３同士の間にガイド部３３の案内を規制する規制部３４を構成したことから、Ｃ字リング体３の第１爪部３１１を適切でない箇所にスライド挿入しようとしても、Ｃ字リング体３には規制部３４が構成されていることから、先にガイド部３３や規制部３４が受口管２や挿入管１に当接し、Ｃ字リング体３の第２爪部３１２が適切でない箇所に挿入できないようになった。また当該規制部３４により第２爪部３１２が誤挿入防止機構４に当接又は嵌入することにより、効果的にＣ字リング体３の誤挿入を防止することができる。
請求項８に記載の本発明は、Ｃ字リング体３を上下対称形状としていることから、Ｃ字リング体３を上下逆（天地逆）又は上下を回転させて挿入管１や受口管２に挿入しても、Ｃ字リング体３は上下（天地）対称形状である為、機能的に何ら違いはなく、誤挿入とはならず適切に挿入配置することができる。
請求項９に記載の本発明は、前記切り溝部２１をスリット状に構成したことから、切り溝部２１を貫通して備えることが出来、Ｃ字リング体３を確実に切り溝部２１に挿入できるようになった。
【図面の簡単な説明】
【００１７】
【図１】（ａ）実施例１における、排水トラップの施工状態を示す斜視図である。（ｂ）実施例１における、排水トラップの施工状態を示す側面図である。
【図２】実施例１の図３におけるＡ−Ａ’断面図である。
【図３】実施例１における排水管の接続構造部分の上面図である。
【図４】（ａ）実施例１におけるＣ字リング体の側面図である。（ｂ）実施例１におけるＣ字リング体の上面図である。（ｃ）実施例１におけるＣ字リング体の斜視図である。（ｄ）（ｂ）におけるＡ−Ａ’断面図である。
【図５】実施例１の受口管におけるＣ字リング体開放端が挿入される方向からの側面図である。
【図６】実施例１の施工手順を示す側面図である。
【図７】実施例１の施工手順を示す図６の斜視図である。
【図８】実施例１において、Ｃ字リング体が誤挿入された状態を示す図である。
【図９】実施例１のその他の施工手順を示す側面図である。
【図１０】実施例１のその他の施工手順を示す図８の斜視図である。
【図１１】（ａ）実施例２における、排水トラップの施工状態を示す斜視図である。（ｂ）実施例２における、排水トラップの施工状態を示す側面図である。
【図１２】実施例２の排水管接続構造部分の断面図である。
【図１３】（ａ）実施例２におけるＣ字リング体の側面図である。（ｂ）実施例２におけるＣ字リング体の上面図である。（ｃ）実施例２におけるＣ字リング体の斜視図である。（ｄ）（ｂ）におけるＡ−Ａ’断面図である。
【図１４】実施例２の施工手順を示す側面図である。
【図１５】実施例２の施工手順を示す図１４の斜視図である。
【図１６】実施例２において、Ｃ字リング体が誤挿入された状態を示す図である。
【図１７】実施例２のその他の施工手順を示す側面図である。
【図１８】実施例２のその他の施工手順を示す図１７の斜視図である。
【図１９】（ａ）その他の実施例におけるＣ字リング体の側面図である。（ｂ）その他の実施例におけるＣ字リング体の斜視図である。
【図２０】その他の実施例における排水管の接続構造部分の断面図である。
【図２１】その他の実施例における排水管の接続構造部分の断面図である。
【図２２】その他の実施例における排水管の接続構造部分の断面図である。
【図２３】実施例１及び実施例２の排水管の接続構造が採用される洗面台を示す断面図である。
【発明を実施するための形態】
【実施例１】
【００１８】
本実施例は、図１乃至図１０に示される、台所の流し台に用いられる排水管の接続構造である。
本実施例の排水管の接続構造は、図２３に示すように、洗面台６に用いられる排水管の一部である、排水トラップ５の接続に用いられる。
排水トラップ５は、排水管をＵ字状に屈曲させて内部に排水の一部を貯水して封水として使用し、下水からの臭気や害虫を室内側へと逆流させないようにしているものである。
本実施例では、図１に示すように、当該排水トラップ５のＵ字の屈曲管部分の接続に用いられ、上流側と下流側の２カ所に接続部分として本接続構造を採用している。
本実施例の排水管の接続構造は、排水管である挿入管１と、排水管である受口管２と、Ｃ字リング体３と、から構成される。
挿入管１は、洗面台６の排水口から流下してくる排水を下流側へと排水する部材であって、その下流側には  フランジ部１２、止水部材１３、を構成している。
フランジ部１２は、挿入管１の外周に外側方向に向かって鍔状に構成され、後述するＣ字リング体３の第１爪部３１１が係合する。
止水部材１３は、挿入管１のフランジ部１２より下流側に配置される、例えばＯリングなどのパッキンから成る弾性部材である。本実施例ではＯリングが用いられ、後述する受口管２の内周と挿入管１の外周に当接し、水密化を図っている。
受口管２は、図５に示すように、内部に挿入管１を配置し、結果的に挿入管１より下流側に配置される。また、挿入管１は、柱部２２、切り溝部２１、誤挿入防止機構４、から構成される。
柱部２２は、切り溝部２１を受け口管上端に形成するための柱であって、Ｃ字リング体３の開放端を挿入する箇所としても使用する。
切り溝部２１は、受け口部外流をスリット状に切り欠いて切り溝としたものである。また、当該切り溝部２１には、後述するＣ字リング体３の第２爪部３１２が係合する。
誤挿入防止機構４は、受口管２の切り溝部２１下方に構成される凹溝であって、図５に示すようにＣ字リング体３の挿入端が挿入される柱部２２からの側面視、下端がＣ字リング体３の挿入方向に向かう方向へ傾斜して（角度を付与して）構成される。誤挿入防止機構４を凹溝状に構成しているので、Ｃ字リング体３を切り溝部２１以外の箇所に誤って挿入した際にはＣ字リング体３の開放端の一部であるガイド部３３や規制部３４が誤挿入防止機構４である凹溝に引っかかり、挿入できないようになっている。
Ｃ字リング体３は、図４に示すように開放端を備えたリング体であって、上面視Ｃ字形状を成している。また、Ｃ字リング体３には、第１爪部３１１、第２爪部３１２、ガイド部３３、規制部３４を構成している。
第１爪部３１１は、挿入管１のフランジ部１２に係合する爪部３１であって、Ｃ字リング体３の上端（上流側）の内周面から中心軸方向に向けて鍔状に構成される。また、第１爪部３１１の上面は、中心軸方向に向かって下方に傾斜する傾斜面３２を備える。
第２爪部３１２は、受口管２の切り溝部２１に係合する爪部３１であって、Ｃ字リング体３の下端（下流側）の内周面から中心軸方向に向けて鍔状に構成される。また、第２爪部３１２の下面は、中心軸方向に向かって上方に傾斜する傾斜面３２を備える。
このように第１爪部３１１と第２爪部３１２をＣ字リング体３に構成し、上下対称形状に形成した。よって、Ｃ字リング体３を上下回転させて、第１爪部３１１と第２爪部３１２を入れ替えても機能や形状に変化はなく、上下逆回転にして切り溝部２１に挿入配置しても、誤挿入とならずに適切に配置されることとなる。
ガイド部３３は、Ｃ字リング体３の開放端に構成されるものであって、切り溝部２１に側面方向からＣ字リング体３が挿入されることをガイドするものであり、Ｃ字リング体３の開放端から円周方向に延びるリブ片である。本実施例では両方の開放端の、上端と下端にそれぞれガイド部３３を構成している。
規制部３４は、Ｃ字リング体３の開放端に構成され、上記ガイド部３３の間に円周方向に向かって突出する凸部である。Ｃ字リング体３の第１爪部３１１を過って受口管２の切り溝部２１にスライド係合してしまったとしても、当該規制部３４が凹溝に嵌入するのでそれ以上側面方向にスライドすることを阻止する為、Ｃ字リング体３が誤挿入されることがない。
【００１９】
前記した排水管の接続構造は以下のように施工される。
図６及び図７（ａ）に示すように洗面台６の排水口に排水管を取付け、挿入管１を排水管に接続しておく。また、床下の下水管である立ち上げ管に下流側の排水管（挿入管１）を接続する。
また、図６及び図７（ｂ）に示すようにＵ字状の屈曲管としての受口管２は、その上端（上流側）と下端（下流側）に構成された切り溝部２１に、予めＣ字リング体３を挿入配置しておく。Ｃ字リング体３の開放端を受口管２の側面方向、具体的には柱部２２から挿入させ、第２爪部３１２を切り溝部２１に係合させつつスライドさせる。この挿入時には、Ｃ字リング体３の開放端に構成されたガイド部３３により、切り溝部２１に円滑に案内される。また、仮にＣ字リング体３の第１爪部３１１を過って受口管２の切り溝部２１にスライド係合してしまったとしても、図８に示すようにスライド挿入時に規制部３４が誤挿入防止機構４の凹溝に嵌入するためそれ以上側面方向にスライドすることを阻止する。よって、Ｃ字リング体３の第１爪部３１１が切り溝部２１に誤挿入されることはない。
そうして、受口管２の上端と下端にそれぞれＣ字リング体３をスライド係合して、適正な位置に挿入配置する。このとき、図６及び図７（ｂ）に示すように、Ｃ字リング体３の第１爪部３１１は受口管２の切り溝部２１よりも上方に配置されている。
その後、図６及び図７（ｃ）に示すように洗面台６の排水管である上流側の挿入管１を受口管２の上方から受口管２に挿入すると、挿入管１のフランジ部１２下面がＣ字リング体３の第１爪部３１１に当接し、第１爪部３１１の上面の傾斜により軸方向の応力が側面方向への応力に変化し、Ｃ字リング体３の自身の弾性によりＣ字リング体３が側面方向に拡径して変形し、挿入管１のフランジ部１２を乗り越える。フランジ部１２を乗り越えたＣ字リング体３の第１爪部３１１は応力が無くなったことにより縮径し、第１爪部３１１が挿入管１のフランジ部１２に係合する。
このようにしたことで、図６及び図７（ｃ）に示すようにＣ字リング体３の第１爪部３１１が挿入管１のフランジ部１２に、Ｃ字リング体３の第２爪部３１２が受口管２の切り溝部２１にそれぞれ係合している為、挿入管１と受口管２は強固に接続される。
そして、その後、下流側の受口管２と、下水管側の排水管である挿入口の接続も同じように受口管２に挿入口を挿入するのみでＣ字リング体３が係合する為、とても簡単に施工することができる。
このようにして施工が完了する。
また、本施工時に接続箇所である排水トラップ５の上流側と下流側部分は、排水管の位置と下水管の立ち上げ位置の配管場所の位置ズレに対応するために施工時に配管箇所を軸方向に回転させて位置調整を行うが、本実施例では発明の排水管の接続構造を採用したことから、従来のようにネジ接続では無いためネジの緩み等が発生して水漏れになったり、増し締めを行うことの施工の手間を減少することができる。
また、本発明の接続構造は、Ｃ字リング体３を挿入管１や受口管２の側面方向外側に向けて簡単に取り外すことが可能であるし、接続を解除した後は上述のように再度簡単に施工することができるものである。
【００２０】
また、別の施工方法として、前記した排水管の接続構造は以下のような施工方法がある。
図９及び図１０（ａ）に示すように洗面台６の排水口に排水管を取付け、挿入管１を排水管に接続する。また、床下の下水管である立ち上げ管に下流側の排水管（挿入管１）を接続する。
その後、図９及び図１０（ｂ）に示すように洗面台６の排水口側の挿入管１を受口管２の上方から受口管２に挿入し、挿入管１のフランジ部１２が受口管２の上端部に当接するまで挿入する。
そして、Ｃ字リング体３の開放端を受口管２と挿入管１の側面方向、具体的には柱部２２から挿入させ、第１爪部３１１を挿入管１のフランジ部１２に、第２爪部３１２を切り溝部２１にそれぞれ係合させつつスライドさせる。この挿入時には、Ｃ字リング体３の開放端に構成されたガイド部３３により、フランジ部１２上方と切り溝部２１に円滑に案内される。また、仮にＣ字リング体３の第１爪部３１１を過って受口管２の切り溝部２１にスライド係合してしまったとしても、図８に示すようにＣ字リング体３をスライド挿入時に規制部３４が誤挿入防止機構４の凹溝に嵌入するためそれ以上側面方向にスライドすることを阻止する。よって、Ｃ字リング体３の第１爪部３１１が切り溝部２１に誤挿入されることはない。
このようにしたことで、図９及び図１０（ｃ）に示すようにＣ字リング体３の第１爪部３１１が挿入管１のフランジ部１２に、Ｃ字リング体３の第２爪部３１２が受口管２の切り溝部２１にそれぞれ係合している為、挿入管１と受口管２は強固に接続される。
そして、その後、下流側の受口管２と、下水管側の排水管である挿入口の接続も同じように受口管２に挿入口を挿入して側面方向からＣ字リング体３を挿入配置させて係合する為、とても簡単に施工することができる。
このようにして施工が完了する。
また、本施工時に接続箇所である排水トラップ５の上流側と下流側部分は、排水管の位置と下水管の立ち上げ位置の配管場所の位置ズレに対応するために施工時に配管箇所を軸方向に回転させて位置調整を行うが、本実施例では発明の排水管の接続構造を採用したことから、従来のようにネジ接続では無いためネジの緩み等が発生して水漏れになったり、増し締めを行うことの施工の手間を減少することができる。
また、本発明の接続構造は、Ｃ字リング体３を挿入管１や受口管２の側面方向外側に向けて簡単に取り外すことが可能であるし、接続を解除した後は上述のように再度簡単に施工することができるものである。
【００２１】
本実施例の排排水管の接続構造は以下のような排水の流れとなる。
洗面台６内に排水が発生した際、排水口から排水管へと排水が排出され、排水管に接続された挿入管１内に排水が流れる。そして、挿入管１から受口管２へと排水は流れるが、挿入管１には止水部材１３であるＯリングが配置されている為、挿入管１と受口管２は水密化されており、漏水することはない。また、受口管２自体は屈曲している為、受口管２自体で排水トラップ５を形成しており、当該内部に封水を通過して下流側へと排水される。Ｃ字リング体３によって受口管２下流側に接続された挿入管１に排水は漏水せずに排水され、最終的には下水管へと排水される。以上のようにして排水は排水管の接続構造内を流下してゆく。
【実施例２】
【００２２】
本実施例は、図１１乃至図１８に示される、台所の流し台に用いられる排水管の接続構造である。
本実施例の排水管の接続構造は、図２３に示すように、洗面台６に用いられる排水管の一部である、排水トラップ５の接続に用いられる。
排水トラップ５は、排水管をＵ字状に屈曲させて内部に排水の一部を貯水して封水として使用し、下水からの臭気や害虫を室内側へと逆流させないようにしているものである。
本実施例では、図１１に示すように当該排水トラップ５のＵ字の屈曲管部分の接続に用いられ、上流側と下流側の２カ所に接続部分として本接続構造を採用している。
本実施例の排水管の接続構造は、排水管である挿入管１と、排水管である受口管２と、Ｃ字リング体３と、から構成される。
挿入管１は、洗面台６の排水口から流下してくる排水を下流側へと排水する部材であって、その下流側にはフランジ部１２、止水部材１３、を構成している。
フランジ部１２は、挿入管１の外周に外側方向に向かって鍔状に構成され、後述するＣ字リング体３の第１爪部３１１が係合する。
止水部材１３は、挿入管１のフランジ部１２より下流側に配置される、例えばＯリングなどのパッキンから成る弾性部材である。本実施例ではＯリングが用いられ、後述する受口管２の内周と挿入管１の外周に当接し、水密化を図っている。
受口管２は、内部に挿入管１を配置し、結果的に挿入管１より下流側に配置される。また、挿入管１は、柱部２２、切り溝部２１、誤挿入防止機構４、から構成される。
柱部２２は、切り溝部２１を受け口管上端に形成するための柱であって、Ｃ字リング体３の開放端を挿入する箇所としても使用する。
切り溝部２１は、受け口部外流をスリット状に切り欠いて切り溝としたものである。また、当該切り溝部２１には、後述するＣ字リング体３の第２爪部３１２が係合する。
誤挿入防止機構４は、受口管２の切り溝部２１下方に構成される凸リブであって、図１４、図１５に示すように誤挿入防止機構４の凸リブは受口管２の軸方向に垂下して複数構成される。このように誤挿入防止機構４を凸リブ状に構成しているので、Ｃ字リング体３を切り溝部２１以外の箇所に誤って挿入した際にはＣ字リング体３の開放端の一部であるガイド部３３や規制部３４が誤挿入防止機構４である凸リブに引っかかり、挿入できないようになっている。
Ｃ字リング体３は、図１３に示すように開放端を備えたリング体であって、上面視Ｃ字形状を成している。また、Ｃ字リング体３には、第１爪部３１１、第２爪部３１２、ガイド部３３、規制部３４を構成している。
第１爪部３１１は、挿入管１のフランジ部１２に係合する爪部３１であって、Ｃ字リング体３の上端（上流側）の内周面から中心軸方向に向けて鍔状に構成される。また、第１爪部３１１の上面は、中心軸方向に向かって下方に傾斜する傾斜面３２を備える。
第２爪部３１２は、受口管２の切り溝部２１に係合する爪部３１であって、Ｃ字リング体３の下端（下流側）の内周面から中心軸方向に向けて鍔状に構成される。また、第２爪部３１２の下面は、中心軸方向に向かって上方に傾斜する傾斜面３２を備える。
このように第１爪部３１１と第２爪部３１２をＣ字リング体３に構成し、上下対称形状に形成した。よって、Ｃ字リング体３を上下回転させて、第１爪部３１１と第２爪部３１２を入れ替えても機能や形状に変化はなく、上下逆回転にして切り溝部２１に挿入配置しても、誤挿入とならずに適切に配置されることとなる。
ガイド部３３は、Ｃ字リング体３の開放端に構成されるものであって、切り溝部２１に側面方向からＣ字リング体３が挿入されることをガイドする。Ｃ字リング体３の開放端から円周方向に延びるリブ片であり、本実施例では両方の開放端の、上端と下端にそれぞれガイド部３３を構成している。
【００２３】
前記した排水管の接続構造は以下のように施工される。
図１４及び図１５（ａ）に示すように洗面台６の排水口に排水管を取付け、挿入管１を排水管に接続する。また、床下の下水管である立ち上げ管に下流側の排水管（挿入管１）を接続する。
また、Ｕ字状の屈曲管としての受口管２は、図１４及び図１５（ｂ）に示すようにその上端（上流側）と下端（下流側）に構成された切り溝部２１に、予めＣ字リング体３を挿入配置しておく。Ｃ字リング体３の開放端を受口管２の側面方向、具体的には柱部２２から挿入させ、第２爪部３１２を切り溝部２１に係合させつつスライドさせる。この挿入時には、Ｃ字リング体３の開放端に構成されたガイド部３３により、切り溝部２１に円滑に案内される。また、仮にＣ字リング体３の第１爪部３１１を誤って受口管２の切り溝部２１にスライド係合してしまったとしても、図１６に示すようにスライド挿入時にＣ字リング体３の開放端が誤挿入防止機構４の凸リブに当接してそれ以上挿入できないようになっている。よって、Ｃ字リング体３の第１爪部３１１が切り溝部２１に誤挿入されることはない。
そうして、受口管２の上端と下端にそれぞれＣ字リング体３をスライド係合して、適正な位置に挿入配置する。このときの、Ｃ字リング体３の第１爪部３１１は受口管２の切り溝部２１よりも上方に配置されている。
その後、図１４及び図１５（ｃ）に示すように洗面台６の排水管である上流側の挿入管１を受口管２の上方から受口管２に挿入すると、挿入管１のフランジ部１２がＣ字リング体３の第１爪部３１１に当接し、第１爪部３１１の上面の傾斜により軸方向の応力が側面方向への応力に変化し、Ｃ字リング体３の自身の弾性によりＣ字リング体３が側面方向に拡径して変形し、挿入管１のフランジ部１２を乗り越える。フランジ部１２を乗り越えたＣ字リング体３の第１爪部３１１は応力が無くなったことにより縮径し、第１爪部３１１が挿入管１のフランジ部１２に係合する。このようにしたことで、図１４及び図１５（ｃ）に示すようにＣ字リング体３の第１爪部３１１が挿入管１のフランジ部１２に、Ｃ字リング体３の第２爪部３１２が受口管２の切り溝部２１にそれぞれ係合している為、挿入管１と受口管２は強固に接続される。
そして、その後、下流側の受口管２と、下水管側の排水管である挿入口の接続も同じように受口管２に挿入口を挿入するのみでＣ字リング体３が係合する為、とても簡単に施工することができる。
このようにして施工が完了する。
また、本施工時に接続箇所である排水トラップ５の上流側と下流側部分は、排水管の位置と下水管の立ち上げ位置の配管場所の位置ズレに対応するために施工時に配管箇所を軸方向に回転させて位置調整を行うが、本実施例では発明の排水管の接続構造を採用したことから、従来のようにネジ接続では無いためネジの緩み等が発生して水漏れになったり、増し締めを行うことの施工の手間を減少することができる。
また、本発明の接続構造は、Ｃ字リング体３を挿入管１や受口管２の側面方向外側に向けて簡単に取り外すことが可能であるし、接続を解除した後は上述のように再度簡単に施工することができるものである。
【００２４】
また、別の施工方法として、前記した排水管の接続構造は以下のような施工方法がある。
図１７及び図１８（ａ）に示すように洗面台６の排水口に排水管を取付け、挿入管１を排水管に接続する。また、床下の下水管である立ち上げ管に下流側の排水管（挿入管１）を接続する。
その後、図１７及び図１８（ｂ）に示すように洗面台６の排水口側の挿入管１を受口管２の上方から受口管２に挿入し、挿入管１のフランジ部１２が受口管２の内周当接部に当接するまで挿入する。そして、図１７及び図１８（ｃ）に示すようにＣ字リング体３の開放端を受口管２と挿入管１の側面方向、具体的には柱部２２から挿入させ、第１爪部３１１を挿入管１のフランジ部１２に、第２爪部３１２を切り溝部２１にそれぞれ係合させつつスライドさせる。この挿入時には、Ｃ字リング体３の開放端に構成されたガイド部３３により、フランジ部１２上方と切り溝部２１に円滑に案内される。また、仮にＣ字リング体３の第１爪部３１１を過って受口管２の切り溝部２１にスライド係合してしまったとしても、図１６に示すようにスライド挿入時にＣ字リング体３の開放端が、受口管２の誤挿入防止機構４である凸リブに当接し、それ以上側面方向にスライドすることを阻止する。よって、Ｃ字リング体３の第１爪部３１１が切り溝部２１に誤挿入されることはない。
このようにしたことで、図１７及び図１８（ｃ）に示すようにＣ字リング体３の第１爪部３１１が挿入管１のフランジ部１２に、Ｃ字リング体３の第２爪部３１２が受口管２の切り溝部２１にそれぞれ係合している為、挿入管１と受口管２は強固に接続される。
そして、その後、下流側の受口管２と、下水管側の排水管である挿入口の接続も同じように受口管２に挿入口を挿入して側面方向からＣ字リング体３を挿入配置させて係合する為、とても簡単に施工することができる。
このようにして施工が完了する。
また、本施工時に接続箇所である排水トラップ５の上流側と下流側部分は、排水管の位置と下水管の立ち上げ位置の配管場所の位置ズレに対応するために施工時に配管箇所を軸方向に回転させて位置調整を行うが、本実施例では発明の排水管の接続構造を採用したことから、従来のようにネジ接続では無いためネジの緩み等が発生して水漏れになったり、増し締めを行うことの施工の手間を減少することができる。
また、本発明の接続構造は、Ｃ字リング体３を挿入管１や受口管２の側面方向外側に向けて簡単に取り外すことが可能であるし、接続を解除した後は上述のように再度簡単に施工することができるものである。
【００２５】
本実施例の排排水管の接続構造は以下のような排水の流れとなる。
洗面台６内に排水が発生した際、排水口から排水管へと排水が排出され、排水管に接続された挿入管１内に排水が流れる。そして、挿入管１から受口管２へと排水は流れるが、挿入管１には止水部材１３であるＯリングが配置されている為、挿入管１と受口管２は水密化されており、漏水することはない。また、受口管２自体は屈曲している為、受口管２自体で排水トラップ５を形成しており、当該内部に封水を通過して下流側へと排水される。Ｃ字リング体３によって受口管２下流側に接続された挿入管１に排水は漏水せずに排水され、最終的には下水管へと排水される。以上のようにして排水は排水管の接続構造内を流下してゆく。
【００２６】
本発明は前記した実施例のほか、特許請求の範囲を越えない範囲で適宜変更は可能である。
また、上記実施例では、規制部３４はＣ字リング体３の開放端より内側に端部が位置するように備えているが、図１９に示すようにＣ字リング体３開放端より外側に飛び出すように構成しても構わない。この構成にすると、よりいっそう誤挿入防止機構４に干渉して誤挿入を効果的に防止することができる。
また、上記実施例では排水管の接続構造の誤挿入防止機構４を受口管２に構成しているが、例えば図２０に示したように、挿入管１に肉厚部分を構成してＣ字リング体３が適切でない箇所に挿入されないように構成しても良い。
また、上記実施例では排水管の接続構造のＣ字リング体３の爪部３１を、第１爪部３１１と第２爪部３１２の２カ所構成しているが、例えば図２１に示したように、爪部３１を一つのみ構成するようにしても良い。
また、上記実施例では排水管の接続構造の誤挿入防止機構４の形状を、凸リブや凹溝によって形成しているが、例えば図２２に示したように、受口管２又は挿入管１の外周面に、円周方向に向かって外周面が膨出又は飛び出して構成されても良い。このようにすることで、Ｃ字リング体３が間違って挿入しようとしても、Ｃ字リング体３の開放端が当該膨出部分に当接してそれ以上挿入することができない。
また、上記実施例では排水管の接続構造の受口管２の切り溝部２１をスリット状に切り欠いて、受口管２の外壁を貫通した形状としているが、貫通しない形状の切り溝部２１としても良い。
【符号の説明】
【００２７】
１      挿入管
１２    フランジ部
１３    止水部材
２      受口管
２１    切り溝部
２２    柱部
３      Ｃ字リング体
３１    爪部
３１１  第１爪部
３１２  第２爪部
３２    傾斜面
３３    ガイド部
３４    規制部
４      誤挿入防止機構
５      排水トラップ
６      洗面台
【図１】
2015175129.tif 000003
【図２】
2015175129.tif 000004
【図３】
2015175129.tif 000005
【図４】
2015175129.tif 000006
【図５】
2015175129.tif 000007
【図６】
2015175129.tif 000008
【図７】
2015175129.tif 000009
【図８】
2015175129.tif 000010
【図９】
2015175129.tif 000011
【図１０】
2015175129.tif 000012
【図１１】
2015175129.tif 000013
【図１２】
2015175129.tif 000014
【図１３】
2015175129.tif 000015
【図１４】
2015175129.tif 000016
【図１５】
2015175129.tif 000017
【図１６】
2015175129.tif 000018
【図１７】
2015175129.tif 000019
【図１８】
2015175129.tif 000020
【図１９】
2015175129.tif 000021
【図２０】
2015175129.tif 000022
【図２１】
2015175129.tif 000023
【図２２】
2015175129.tif 000024
【図２３】
2015175129.tif 000025